(57)【要約】【課題】ＤＳＭに録画された映像音声コンテンツデータが安定的に再生されるように、映像音声コンテンツデータを記録させる。【解決手段】ＭＰＥＧ−ＴＳを出力する受信手段８，３，１０と、受信チャンネルに対応するＰＭＴを抽出し、このＰＭＴを基に所定のチャンネルに含まれるコンテンツデータを抽出するデータ抽出手段５，１０と、このチャンネルが階層伝送放送か否かを判定する階層伝送判定手段９ａと、階層伝送放送であると判定された場合は、ＰＭＴ内のＰＩＤを高階層側と低階層側とに分離し、分離した高階層側のＰＩＤを記述した高階層用ＰＭＴと、低階層側のＰＩＤを記述した低階層用ＰＭＴとを新たに生成するとともに、これらを特定するための新たな階層用ＰＡＴを生成する生成手段９ｂと、階層用ＰＡＴ、高階層用ＰＭＴ、低階層用ＰＭＴ、及び各コンテンツデータを多重化して外部へ出力するデジタルデータ出力手段１１とを備える。【選択図】図１
2008236667.tif 000002
【特許請求の範囲】
【請求項１】
受信したチャンネルに含まれるＭＰＥＧ規格に準拠した、ＰＡＴ、ＰＭＴを含む番組情報データと、映像データ及び音声データのうち少なくともいずれか一方の１つ以上のデータであるコンテンツデータとを、デジタルインタフェースを介して外部へ出力する機能を有するデジタル放送受信装置において、
設定される所定のチャンネルを含むデジタル放送波を受信してＭＰＥＧ−ＴＳを出力する受信手段と、
前記ＭＰＥＧ−ＴＳに含まれるＰＡＴと前記所定のチャンネルのチャンネル情報とを基に、このチャンネルに対応するＰＭＴを特定して抽出し、この抽出したＰＭＴを基に、前記所定のチャンネルに含まれる前記コンテンツデータを抽出するデータ抽出手段と、
前記データ抽出手段で抽出したＰＭＴに基づいて、前記所定のチャンネルが高階層と低階層との２つの階層を有する階層伝送放送のチャンネルであるか否かを判定する階層伝送判定手段と、
前記階層伝送判定手段により階層伝送放送のチャンネルであると判定された場合は、前記抽出したＰＭＴに記述されている各前記コンテンツデータを特定するためのＰＩＤを、高階層側のコンテンツデータを特定するＰＩＤと低階層側のコンテンツデータを特定するＰＩＤとに分離し、この分離した高階層側のコンテンツデータを特定するＰＩＤを記述した高階層用ＰＭＴと、低階層側のコンテンツデータを特定するＰＩＤを記述した低階層用ＰＭＴとを新たに生成するとともに、この新たに生成した２つのＰＭＴを特定するための新たなＰＩＤを記述した階層用ＰＡＴを新たに生成する生成手段と、
前記階層用ＰＡＴ、前記高階層用ＰＭＴ、前記低階層用ＰＭＴ、及び各前記コンテンツデータを多重化して外部へ出力するデジタルデータ出力手段と、
を有することを特徴とするデジタル放送受信装置。
【発明の詳細な説明】
【技術分野】
【０００１】
本発明は、放送局からの放送信号を受信するデジタル放送受信装置に関する。
【背景技術】
【０００２】
デジタル放送では、ＭＰＥＧ２方式で圧縮された複数の映像音声コンテンツデータが、番組情報等の付加情報と共にトランスポートストリーム（以下、ＴＳという）として多重化されて伝送されている。
【０００３】
そして、一般的なデジタル放送受信機では、この多重化されたＴＳから、利用者が所望する特定のチャンネルの映像音声コンテンツデータを選択してＭＰＥＧデコードすることによって、アナログ映像／音声として利用者に提示する。
【０００４】
一方、ＭＰＥＧ２方式で圧縮されたデジタル映像音声コンテンツデータを、デジタルＶＣＲ、ハードディスク等へそのまま記録できるデジタルストレージメディア（以下、ＤＳＭという）等が一般的に普及している。そこで、このＤＳＭを用いて伝送された映像音声コンテンツデータをデジタルデータの状態のまま記録すれば、アナログＶＣＲで記録する場合に比較して効率良くかつ画質劣化することなく記録することができる。また、デジタル放送の特徴である番組情報等の付加情報も同時に記録可能なため、再生時にもその情報が利用可能となる。
【０００５】
ここで、ＤＳＭに記録可能なデジタルストリームのデータレートは、デジタル放送のＴＳのレートより小さいことが多い。また、放送波のＴＳに含まれる情報の中には、限定受信情報やネットワーク情報等放送方式に依存する情報が含まれており、これらの情報は、ＤＳＭに記憶した後の再生時には不要となる場合が多い。
【０００６】
そこで、ＤＳＭに対してデジタルストリームを出力するデジタルインタフェースを有するデジタル放送受信機や、ＤＳＭを内蔵するデジタル放送受信機では、記録されるデジタルストリームの伝送レートの削減や、再生時に不要となる情報を削除するために、特定のチャンネルに関連する情報のみを選択し、必要なパケット編集を行うことで、ＴＳを再構成する必要がある。この再構成されたＴＳをパーシャルＴＳという。
【０００７】
また、ＢＳデジタル放送では、降雨減衰による放送の遮断時間の軽減等を目的として、階層伝送が行われている。ＢＳデジタル放送の伝送路符号化方法は、伝送方式の切り替えと併用が可能であり、信号劣化には弱いが伝送速度の速い変調方式で高解像度のコンテンツデータを送信し、伝送速度は遅いが信号劣化には強い変調方式で低解像度のコンテンツデータを送信する等伝送方式を組み合わせてコンテンツデータを送信することができる。
【０００８】
そこで、放送局側では、大容量伝送可能なＴＣ８ＰＳＫ（トレリス符号化８相位相変調）で高解像度の映像コンテンツデータを伝送すると共に、低Ｃ／Ｎにおいても受信可能なＢＰＳＫ（二相位相偏移方式）で低解像度の映像コンテンツデータを伝送するような階層伝送が行われる場合が多い。
【０００９】
図５は、階層伝送されたＴＳの構成を説明する概念説明図である。図５に示したＴＳの例では、チャンネル１とチャンネル２とが含まれており、そのうちチャンネル１が、高解像度の映像コンテンツデータを伝送する高階層伝送と、低解像度の映像コンテンツデータを伝送する低階層伝送とで階層伝送されている。
【００１０】
ＴＳは、１８８バイト固定長のトランスポートパケットで構成されており、このトランスポートパケットは、映像コンテンツデータや音声コンテンツデータの他に、どのチャンネルの映像音声コンテンツデータがＴＳ内のどのトランスポートパケットに格納されているかを示すＰＳＩ（Program Specific Information）データも記憶されている。
【００１１】
そして、図示しないが、各トランスポートパケットのヘッダ部分にあるパケット識別子（ＰＩＤ）が、トランスポートパケットのペイロード部分に含まれているデータの種別を示している。
【００１２】
ＰＳＩの中には、特定のチャンネルに含まれるコンテンツに関するデータがこのコンテンツデータを伝送しているトランスポートパケットのＰＩＤリストとして記述されたＰＭＴ（Program Map Table）や、ＴＳに含まれる全チャンネルの情報がＰＭＴのＰＩＤリストという形式で記述されたＰＡＴ（Program Association Table）等がある。
【００１３】
図５に示すように、ＰＡＴパケット２１には、チャンネル１のＰＭＴのＰＩＤ“１００”と、チャンネル２のＰＭＴのＰＩＤ“２００”が記憶されている。ＰＭＴパケット２２に示すチャンネル１用のＰＭＴ１には、高階層用の映像コンテンツデータ「Ｖ１−１」のＰＩＤ“１０１”と、高階層用の音声コンテンツデータ「Ａ１−１」のＰＩＤ“１０３”と、低階層用の映像コンテンツデータ「Ｖ１−２」のＰＩＤ“１０２”と、低階層用の音声コンテンツデータ「Ａ１−２」のＰＩＤ“１０４”の４つのコンテンツデータのＰＩＤが記憶されている。
【００１４】
そして、図５のデータパケット２４に示すように、「Ｖ１−１」のトランスポートパケットには高階層用の映像コンテンツデータが記憶され、「Ａ１−１」のトランスポートパケットには高階層用の音声コンテンツデータが記憶され、「Ｖ１−２」のトランスポートパケットには低階層用の映像コンテンツデータが記憶され、「Ａ１−２」のトランスポートパケットには低階層用の音声コンテンツデータが記憶される。
【００１５】
図６は、図５に示した構成によってトランスポートパケットが構成されたＴＳの一例を示した説明図である。
【００１６】
図６では、ｎチャンネルのＰＡＴを含むトランスポートパケットを「ＰＡＴｎ」で示しており、例えば、チャンネル１のＰＭＴを含むトランスポートパケットを「ＰＭＴ１」で示している。また、同様に、チャンネル１の高階層用の映像コンテンツデータを含むトランスポートパケットを「Ｖ１−１」、チャンネル１の高階層用の音声コンテンツデータを含むトランスポートパケットを「Ａ１−１」、チャンネル１の低階層用の映像コンテンツデータを含むトランスポートパケットを「Ｖ１−２」、チャンネル１の低階層用の音声コンテンツデータを含むトランスポートパケットを「Ａ１−２」で示している。
【００１７】
このように階層伝送されたコンテンツデータを、例えば、特許文献１に記載のデジタル放送受信機によって受信する場合、高Ｃ／Ｎの場合にはＴＣ８ＰＳＫで変調されている高解像度のコンテンツデータを選択してデコードし、デコードした映像を出力する。そして、強い降雨減衰でＴＣ８ＰＳＫ変調のコンテンツデータをデコードできなくなった場合には、ＢＰＳＫで変調された低解像度のコンテンツデータを出力するように自動的に切り替えていた。
【００１８】
図７は、階層伝送されたＴＳから特許文献１に記載のデジタル放送受信機により生成されたパーシャルＴＳの構成を示した説明図である。
【００１９】
図７に示すように、高Ｃ／Ｎ比を確保できる場合には、高階層伝送のためのＰＳＩを生成し、高Ｃ／Ｎ比を確保できない場合には、低階層伝送のためのＰＳＩを生成し、パーシャルＴＳを構成していた。
【００２０】
具体的には、図７に示すように、高Ｃ／Ｎ時は、ＰＡＴパケット３１に、チャンネル１のＰＭＴのＰＩＤ“１００”が記憶される。ＰＭＴパケット３２に示すチャンネル１用のＰＭＴ１には、高階層用の映像コンテンツデータ「Ｖ１−１」のＰＩＤ“１０１”と、高階層用の音声コンテンツデータ「Ａ１−１」のＰＩＤ“１０３”が記憶される。そして、データパケット３３に示すように、「Ｖ１−１」のトランスポートパケットには高階層用の映像コンテンツデータが記憶され、「Ａ１−１」のトランスポートパケットには高階層用の音声コンテンツデータが記憶される。
【００２１】
一方、低Ｃ／Ｎ時は、ＰＡＴパケット３４に、チャンネル１のＰＭＴのＰＩＤ“１００”が記憶される。ＰＭＴパケット３５に示すチャンネル１用のＰＭＴ１には、低階層用の映像コンテンツデータ「Ｖ１−２」のＰＩＤ“１０２”と、低階層用の音声コンテンツデータ「Ａ１−２」のＰＩＤ“１０４”が記憶される。そして、データパケット３６に示すように、「Ｖ１−２」のトランスポートパケットには低階層用の映像コンテンツデータが記憶され、「Ａ１−２」のトランスポートパケットには低階層用の音声コンテンツデータが記憶される。
【００２２】
図８（ａ）は、高Ｃ／Ｎ時において生成されたパーシャルＴＳの一例を示した説明図であり、図８（ｂ）は、低Ｃ／Ｎ時において生成されたパーシャルＴＳの一例を示した説明図である。
【００２３】
特許文献１に記載のデジタル放送受信機では、高Ｃ／Ｎ比を確保できる場合には、図８（ａ）に示すような高階層伝送のためのＰＳＩを生成し、高Ｃ／Ｎ比を確保できない場合には、図８（ｂ）に示すような低階層伝送のためのＰＳＩを生成するように切り替えを行っていた。
【特許文献１】特開２００６−４１９７６号公報
【発明の開示】
【発明が解決しようとする課題】
【００２４】
しかしながら、特許文献１に記載のデジタル放送受信機では、階層伝送中にＣ／Ｎ比が変動した場合、高解像度のコンテンツデータと低解像度のコンテンツデータの切り替え時の短くないサービスの中断が発生する。さらに、Ｃ／Ｎ比が不安定な場合、高解像度のコンテンツデータと低解像度のコンテンツデータの切り替えが頻繁に発生する場合がある。
【００２５】
この切り替えのタイミングはＣ／Ｎ比に依存しているので、利用者が自由に選択することができず、上記のようなＣ／Ｎ比が変動している状況下において、ＤＳＭに記録された映像音声コンテンツデータは、利用者が意図しないタイミングで切り替えが発生する場合があり、利用者にとって視聴しにくくなるという課題があった。
【００２６】
本発明は、上記課題に鑑みてなされたものであり、Ｃ／Ｎ比が変動している状況下においてＤＳＭに録画された映像音声コンテンツデータであっても、そのコンテンツが階層伝送放送されたコンテンツであった場合は、すくなくとも低階層側のコンテンツは安定的に再生されるように、映像音声コンテンツデータを記録させることができるデジタル放送受信装置を提供することを目的とする。
【課題を解決するための手段】
【００２７】
上記目的を達成するため、本発明に係るデジタル放送受信装置の第１の特徴は、設定される所定のチャンネルを含むデジタル放送波を受信してＭＰＥＧ−ＴＳを出力する受信手段と、ＭＰＥＧ−ＴＳに含まれるＰＡＴと所定のチャンネルのチャンネル情報とを基に、このチャンネルに対応するＰＭＴを特定して抽出し、この抽出したＰＭＴを基に、所定のチャンネルに含まれる前記コンテンツデータを抽出するデータ抽出手段と、データ抽出手段で抽出したＰＭＴに基づいて、所定のチャンネルが高階層と低階層との２つの階層を有する階層伝送放送のチャンネルであるか否かを判定する階層伝送判定手段と、階層伝送判定手段により階層伝送放送のチャンネルであると判定された場合は、抽出したＰＭＴに記述されている各コンテンツデータを特定するためのＰＩＤを、高階層側のコンテンツデータを特定するＰＩＤと低階層側のコンテンツデータを特定するＰＩＤとに分離し、この分離した高階層側のコンテンツデータを特定するＰＩＤを記述した高階層用ＰＭＴと、低階層側のコンテンツデータを特定するＰＩＤを記述した低階層用ＰＭＴとを新たに生成するとともに、この新たに生成した２つのＰＭＴを特定するための新たなＰＩＤを記述した階層用ＰＡＴを新たに生成する生成手段と、階層用ＰＡＴ、高階層用ＰＭＴ、低階層用ＰＭＴ、及び各コンテンツデータを多重化して外部へ出力するデジタルデータ出力手段とを備えることにある。
【発明の効果】
【００２８】
本発明に係るデジタル放送受信装置によれば、Ｃ／Ｎ比が変動している状況下においてＤＳＭに録画された映像音声コンテンツデータであっても、そのコンテンツが階層伝送放送されたコンテンツであった場合は、すくなくとも低階層側のコンテンツは安定的に再生されるように、映像音声コンテンツデータを記録させることができる。
【発明を実施するための最良の形態】
【００２９】
以下、本発明を実施するための最良の形態について図面を参照して説明する。
【００３０】
図１は、本発明を実施するためのデジタル放送受信装置の一実施形態の構成を示す構成図である。
【００３１】
図１に示すように、本実施形態であるデジタル放送受信装置１は、アンテナ２と、ネットワークインタフェースモジュール３と、デスクランブラ４と、データ抽出手段であるＭＰＥＧ＿ＴＳデマルチプレクサ５と、ＭＰＥＧデコーダ６と、ＯＳＤ重畳回路部７と、選局部８と、階層伝送判定手段９ａと、生成手段９ｂと、デジタル信号出力部１１とを備える。
【００３２】
ネットワークインタフェースモジュール３は、チューナー、デジタル復調、誤り訂正等の伝送系の信号処理の機能を有し、アンテナ２からデジタル放送波を受信し、映像音声コンテンツデータにＰＳＩが付加されたＭＰＥＧ規格に準拠のトランスポートストリーム（以下、ＴＳという）として出力する。
【００３３】
デスクランブラ４は、ネットワークインタフェースモジュール３から供給されたＴＳを制御部１０の指示によりデスクランブルする。
【００３４】
ＭＰＥＧ＿ＴＳデマルチプレクサ５は、制御部１０の指示により、ＭＰＥＧ規格に準拠のＴＳに含まれるＰＡＴと所定のチャンネルのチャンネル情報とを基に、このチャンネルに対応するＰＭＴを特定して抽出し、この抽出したＰＭＴを基に、所定のチャンネルに含まれる映像音声コンテンツデータを抽出する。
【００３５】
ＭＰＥＧデコーダ６は、ＭＰＥＧ＿ＴＳデマルチプレクサ５から供給された映像音声コンテンツデータをデコードして、映像コンテンツデータ及び音声コンテンツデータ各々を出力する。
【００３６】
ＯＳＤ重畳回路部７は、初期設定等のメニュー画面、現在視聴しているチャンネルの番組名、及び電子番組ガイド等を映像コンテンツデータに重畳して表示する。
【００３７】
選局部８は、制御部１０の指示により、ＴＳに含まれるチャンネルのうちのいずれか１つのチャンネルを選局チャンネルとして選局する。
【００３８】
階層伝送判定手段９ａは、ＭＰＥＧ＿ＴＳデマルチプレクサ５で抽出したＰＭＴに基づいて、所定のチャンネルが高階層と低階層との２つの階層を有する階層伝送放送のチャンネルであるか否かを判定する。
【００３９】
生成手段９ｂは、階層伝送判定手段９ａにより階層伝送放送のチャンネルであると判定された場合は、抽出したＰＭＴに記述されている各コンテンツデータを特定するためのＰＩＤを、高階層側のコンテンツデータを特定するＰＩＤと低階層側のコンテンツデータを特定するＰＩＤとに分離し、この分離した高階層側のコンテンツデータを特定するＰＩＤを記述した高階層用ＰＭＴと、低階層側のコンテンツデータを特定するＰＩＤを記述した低階層用ＰＭＴとを新たに生成するとともに、この新たに生成した２つのＰＭＴを特定するためのＰＩＤを記述した階層用ＰＡＴを新たに生成する。
【００４０】
デジタル信号出力部１１は、ＭＰＥＧ＿ＴＳデマルチプレクサ５で抽出した映像音声コンテンツデータと、上記で生成した高階層用ＰＭＴ、低階層用ＰＭＴ、階層用ＰＡＴとを再多重化して外部へ出力する。
【００４１】
制御部１０は、デジタル放送受信装置１の中枢的な役割を担い、デジタル放送受信装置１全体の制御を行う。
【００４２】
＜作用＞
以下に、本実施形態であるデジタル放送受信装置１の処理手順について説明する。
【００４３】
図２は、本実施形態であるデジタル放送受信装置１の処理手順を示したフローチャートである。
【００４４】
まず、本実施形態であるデジタル放送受信装置１の制御部１０は、録画予約信号等ＤＳＭへパーシャルＴＳを記録させるための記録要求信号を受信すると、該当チャンネルの選局信号を選局部８へ送信する。
【００４５】
その後、ＭＰＥＧ＿ＴＳデマルチプレクサ５は、制御部１０の指示により供給されたＴＳから選局部８で選局された選局チャンネルのＰＭＴを抽出する（ステップＳ１０１）。そして、階層伝送判定手段９ａは、ＭＰＥＧ＿ＴＳデマルチプレクサ５により抽出されたＰＭＴを受信し、受信したＰＭＴに基づいて選局チャンネルの放送が階層伝送しているか否かを判定する（ステップＳ１０２）。
【００４６】
具体的には、抽出したＰＭＴから階層伝送識別子を検索し、階層伝送識別子が存在していれば、選局チャンネルの放送は階層伝送していると判定する。
【００４７】
次に、階層伝送判定手段９ａは、選局チャンネルの放送が階層伝送していないと判定した場合、階層伝送していないチャンネルとしてパーシャルＴＳを生成する（ステップＳ１０３）。
【００４８】
階層伝送判定手段９ａにより選局チャンネルの放送が階層伝送していると判定された場合、生成手段９ｂは、高解像度の映像コンテンツデータを伝送する高階層伝送用のＰＭＴを生成する（ステップＳ１０４）。具体的にはＰＭＴ内に記述されている階層伝送記述子の内容を参照し、高階層伝送用のコンテンツデータを含むトランスポートパケットを特定し、ＴＳから抽出したＰＭＴの記述の中から高階層伝送用のコンテンツデータに関する情報を抽出して、新たに、高階層伝送用のＰＭＴを生成する。
【００４９】
次に、生成手段９ｂは、低解像度の映像コンテンツデータを伝送する低階層伝送用のＰＭＴを生成する（ステップＳ１０５）。具体的にはＰＭＴ内に記述されている階層伝送記述子の内容を参照し、低階層伝送用のコンテンツデータを含むトランスポートパケットを特定し、ＴＳから抽出したＰＭＴの記述の中から低階層伝送用のコンテンツデータに関する情報を抽出して、新たに、低階層伝送用のＰＭＴを生成する。
【００５０】
そして、生成手段９ｂは、ステップＳ１０４にて生成した高階層伝送用のＰＭＴ、及びステップＳ１０５にて生成した低階層伝送用のＰＭＴの両方の情報に基づいて、ＰＡＴ、及びＳＩＴを生成する（ステップＳ１０６）。
【００５１】
次に、デジタル信号出力部１１は、ステップＳ１０６にて生成したＰＡＴ、及びＳＩＴと、ステップＳ１０４にて生成した高階層伝送用のＰＭＴと、ステップＳ１０５にて生成した低階層伝送用のＰＭＴと、ＭＰＥＧ＿ＴＳデマルチプレクサ５により供給される映像音声コンテンツデータから多重化して新たにパーシャルＴＳを生成し、ＤＳＭの記録装置へ出力する。
【００５２】
図３は、階層伝送されたＴＳから本実施形態に係るデジタル放送受信装置１により生成されたパーシャルＴＳの構成を示した説明図である。
【００５３】
図３に示すように、高階層のコンテンツデータと低階層のコンテンツデータとの両方を包含するようにパーシャルＴＳとして再構成されている。
【００５４】
具体的には、ＰＡＴパケット４１には、チャンネル１の高階層伝送用のＰＭＴのＰＩＤ“１１０”と、チャンネル１の低階層伝送用のＰＭＴのＰＩＤ“１２０”とが記述されている。
【００５５】
ＰＭＴパケット４２に示すチャンネル１用の高階層伝送用のＰＭＴ１−１には、高階層用の映像コンテンツデータ「Ｖ１−１」のＰＩＤ“１０１”と、高階層用の音声コンテンツデータ「Ａ１−１」のＰＩＤ“１０３”が記憶されている。そして、データパケット４３に示すように、「Ｖ１−１」のトランスポートパケットには高階層用の映像コンテンツデータが記憶され、「Ａ１−１」のトランスポートパケットには高階層用の音声コンテンツデータが記憶される。
【００５６】
また、ＰＭＴパケット４４に示すチャンネル１用の低階層伝送用のＰＭＴ１−２には、低階層用の映像コンテンツデータ「Ｖ１−２」のＰＩＤ“１０２”と、高階層用の音声コンテンツデータ「Ａ１−２」のＰＩＤ“１０４”が記憶されている。そして、データパケット４５に示すように、「Ｖ１−２」のトランスポートパケットには低階層用の映像コンテンツデータが記憶され、「Ａ１−２」のトランスポートパケットには低階層用の音声コンテンツデータが記憶される。
【００５７】
図４は、階層伝送されたＴＳから、本実施形態に係るデジタル放送受信装置１により生成されたパーシャルＴＳの一例を示した説明図である。
【００５８】
図３に示すパーシャルＴＳの構成に基づいて、図４に示すようなパーシャルＴＳが生成される。
【００５９】
このように、本実施形態に係るデジタル放送受信装置１によれば、高階層のコンテンツと低階層のコンテンツデータとの両方を包含するようにパーシャルＴＳが再構成される。そのため、このパーシャルＴＳが記録されたＤＳＭが再生される際、高階層のコンテンツデータと低階層のコンテンツデータのいずれかを、利用者によって選択可能なように設定することもできる。
【００６０】
これにより、Ｃ／Ｎ比が不安定な状況下で記録されたＤＳＭを再生する場合、利用者よって伝送時の信号劣化に強い低階層の映像音声コンテンツデータが選択されていれば、利用者は安定的に低階層のコンテンツを視聴することができる。
【図面の簡単な説明】
【００６１】
【図１】本発明を実施するためのデジタル放送受信装置の一実施形態の構成を示す構成図である。
【図２】本実施形態であるデジタル放送受信装置の処理手順を示したフローチャートである。
【図３】階層伝送されたＴＳから本実施形態に係るデジタル放送受信装置により生成されたパーシャルＴＳの構成を示した説明図である。
【図４】階層伝送されたＴＳから本実施形態に係るデジタル放送受信装置により生成されたパーシャルＴＳの一例を示した説明図である。
【図５】階層伝送されたＴＳの構成を説明する概念説明図である。
【図６】階層伝送されたＴＳの一例を示した説明図である。
【図７】階層伝送されたＴＳから従来技術であるデジタル放送受信機により生成されたパーシャルＴＳの構成を示した説明図である。
【図８】（ａ）は、従来技術であるデジタル放送受信機によって、高Ｃ／Ｎ時に生成されたパーシャルＴＳの一例を示した説明図であり、（ｂ）は、低Ｃ／Ｎ時に生成されたパーシャルＴＳの一例を示した説明図である。
【符号の説明】
【００６２】
１…デジタル放送受信装置
２…アンテナ
３…ネットワークインタフェースモジュール
４…デスクランブラ
５…ＭＰＥＧ＿ＴＳデマルチプレクサ（データ抽出手段）
６…ＭＰＥＧデコーダ
７…ＯＳＤ重畳回路部
８…選局部
９ａ…階層伝送判定手段
９ｂ…生成手段
１０…制御部
１１…デジタル信号出力部（デジタルデータ出力手段）
【図１】
2008236667.tif 000003
【図２】
2008236667.tif 000004
【図３】
2008236667.tif 000005
【図４】
2008236667.tif 000006
【図５】
2008236667.tif 000007
【図６】
2008236667.tif 000008
【図７】
2008236667.tif 000009
【図８】
2008236667.tif 000010